(57)【要約】【課題】  自動販売機に設置した半割状商品見本に、容易に着脱可能に装着できるとともに、簡潔な構成で、安価な見本表示ラベルを提供する。【課題の解決手段】  見本表示ラベル１は、合成樹脂製シートからなり、半割状商品見本の正面側に対応し商品容器の表示を模した商品表示５を施してなる表示片２と、この表示片２の両側にそれぞれ設けられて半割状商品見本の開放された背面側に対応する互いに係脱可能な一対の係止片３，４とを備え、これら係止片３，４は、商品見本が模した商品の内容物とほぼ同一の色彩を有し、一方の係止片３の縦方向の長さは、半割状商品見本の高さとほぼ同一で、他方の係止片４と表示片２の縦方向の長さは、半割状商品見本の高さより短く形成され、また、係止片４には係止突起８を設け、係止片４には係止突起８が係脱可能に突入するスリット９を設けるとともに、スリット９に沿って表示片２とほぼ同一長にわたる切り欠き１０を設ける。【選択図】    図１
2005251052.tif 000002
【特許請求の範囲】
【請求項１】
自動販売機に配置する半割状商品見本に着脱可能に装着する見本表示ラベルであって、合成樹脂シートからなり、前記半割状商品見本の正面側に対応して商品容器の表示を模した表示を施してなる表示片と、この表示片の両側にそれぞれ設けられて前記半割状商品見本の開放された背面側に対応する互いに係脱可能な一対の係止片とを備えることを特徴とする半割状商品見本に装着する見本表示ラベル。
【請求項２】
自動販売機に配置する半割状商品見本に着脱可能に装着する見本表示ラベルであって、合成樹脂シートからなり、前記半割状商品見本の正面側に対応して商品容器の表示を模した表示を施してなる表示片と、この表示片の一側に設けられて前記半割状商品見本の開放された背面側に対応するとともに、前記表示片と係脱可能な係止片とを備えることを特徴とする半割状商品見本に装着する見本表示ラベル。
【請求項３】
自動販売機に配置する半割状商品見本に着脱可能に装着する見本表示ラベルであって、合成樹脂シートからなり、前記半割状商品見本の正面側に対応して商品容器の表示を模した表示を施してなる表示片と、この表示片の両側にそれぞれ設けられて前記半割状商品見本の開放された背面側に対応する互いに係脱可能な一対の係止片とを備え、これら一対の係止片は商品見本が模した商品の内容物とほぼ同一の色彩を有し、前記係止片の一方の縦方向の長さは、前記半割状商品見本の高さとほぼ同一長であり、前記係止片の他方と表示片との縦方向の長さは、前記半割状商品見本の高さより短く形成されてなることを特徴とする半割状商品見本に装着する見本表示ラベル。
【請求項４】
係止片のいずれか一方には係止突起を設け、係止片の残りの一方には前記係止突起が係脱可能に突入するスリットを設け、このスリットを設けた係止片は半割状商品見本の開放された背面側の形状にほぼ対応するとともに、前記スリットに沿って表示片とほぼ同一長にわたる切り欠きを有することを特徴とする請求項３記載の半割状商品見本に装着する見本表示ラベル。
【発明の詳細な説明】
【技術分野】
【０００１】
本発明は、自動販売機に配置する半割状商品見本に着脱可能に装着する、合成樹脂シートからなる見本表示ラベルであって、半割状商品見本の正面側に対応する部分には商品容器の表示を模した表示を施してなる見本表示ラベルに関する。
【背景技術】
【０００２】
従来の自動販売機に配置する商品見本としては、商品とほぼ同一形状の中空状に形成した合成樹脂製見本が一般的である。そして、中空状合成樹脂製見本の背面に掛止孔を設け、この掛止孔に一対の掛止片を差し入れて掛止する構成の見本表示ラベルが知られている。
【特許文献１】特開２００３−８５６２８号公報
【発明の開示】
【発明が解決しようとする課題】
【０００３】
ところで近年、商品見本として、製造コストや一度に多数の搬送が可能などの利点があるため、従来の商品形状にならった合成樹脂製見本を前後に半割状にした、半割状商品見本の利用が増加している。ところが、従来の中空状合成樹脂製見本の背面に掛止孔を設け、この掛止孔に一対の掛止片を差し入れて掛止する構成の見本表示ラベルでは、背面側が全面的に開放されている半割状商品見本には適用できないという問題がある。本発明は、この問題を解決して、半割状商品見本に装着可能な見本表示ラベルを提供することを目的とする。
【課題を解決するための手段】
【０００４】
この目的を達成するため、本発明の請求項１に係る自動販売機に配置する半割状商品見本に着脱可能に装着する見本表示ラベルは、合成樹脂シートからなり、前記半割状商品見本の正面側に対応して商品容器の表示を模した表示を施してなる表示片と、この表示片の両側にそれぞれ設けられて前記半割状商品見本の開放された背面側に対応する互いに係脱可能な一対の係止片とを備えてなるものである。
【０００５】
同じく上記目的を達成するため、本発明の請求項２に係る自動販売機に配置する半割状商品見本に着脱可能に装着する見本表示ラベルは、合成樹脂シートからなり、前記半割状商品見本の正面側に対応して商品容器の表示を模した表示を施してなる表示片と、この表示片の一側に設けられて前記半割状商品見本の開放された背面側に対応するとともに、前記表示片と係脱可能な係止片とを備えるものである。
【０００６】
同じく上記目的を達成するために、本発明の請求項３に係る自動販売機に配置する半割状商品見本に着脱可能に装着する見本表示ラベルは、合成樹脂シートからなり、前記半割状商品見本の正面側に対応し商品容器の表示を模した表示を施してなる表示片と、この表示片の両側にそれぞれ設けられて前記半割状商品見本の開放された背面側に対応する互いに係脱可能な一対の係止片とを備え、これら一対の係止片は、商品見本が模した商品の内容物とほぼ同一の色彩を有し、前記係止片の一方の縦方向の長さは、半割状商品見本の高さとほぼ同一長で、前記係止片の他方と表示片との縦方向の長さは、前記半割状商品見本の高さより短く形成されてなるものである。
【０００７】
同じく上記目的を達成するために、本発明の請求項４に係る自動販売機に配置する半割状商品見本に着脱可能に装着する見本表示ラベルは、合成樹脂シートからなり、前記半割状商品見本の正面側に対応し商品容器の表示を模した表示を施してなる表示片と、この表示片の両側にそれぞれ設けられて前記半割状商品見本の開放された背面側に対応する互いに係脱可能な一対の係止片とを備え、これら一対の係止片は、商品見本が模した商品の内容物とほぼ同一の色彩を有し、前記係止片の一方の縦方向の長さは、半割状商品見本の高さとほぼ同一長で、前記係止片の他方と表示片の縦方向の長さは、前記半割状商品見本の高さより短く形成され、さらに、前記係止片のいずれか一方には係止突起を設け、係止片の残りの一方には前記係止突起が係脱可能に突入するスリットを設け、このスリットを設けた係止片は半割状商品見本の開放された背面側の形状にほぼ対応するとともに、前記スリットに沿って表示片とほぼ同一長にわたる切り欠きを有するものである。
【発明の効果】
【０００８】
本発明の請求項１及び請求項２に係る見本表示ラベルによれば、簡潔な構成で、安価に提供できるとともに、自動販売機に配置する半割状商品見本に対する着脱動作が容易であるという効果を奏する。
【０００９】
本発明の請求項３に係る見本表示ラベルによれば、簡潔な構成で、安価に提供できるとともに、自動販売機に配置する半割状商品見本に対する着脱動作が容易であるほか、半割状商品見本の正面側から商品内容と同一色の係止片を視認できるので、商品見本としての視覚的効果がより向上するという効果を奏する。
【００１０】
本発明の請求項４に係る見本表示ラベルによれば、上記請求項２に係る見本表示ラベルの奏する効果に加えて、係止時に各係止片が対応する部分に切り欠きを設けたので、係止動作を確実かつ容易になし得るという効果を奏する。
【発明を実施するための最良の形態】
【００１１】
以下、本発明の好適な実施形態を添付図面に基づいて説明する。ここにおいて、図１は見本表示ラベルの正面図、図２は半割状商品見本に見本表示ラベルを装着した状態を示す背面図、図３は同じく斜視図である。
【００１２】
図１に示すように、見本表示ラベル１は合成樹脂シートからなり、表示片２と、この表示片２の両側に設けられた互いに係脱可能な一対の係止片３，４とからなる。前記表示片２は、後述する半割状商品見本に装着時にその正面側に対応するもので、商品容器の表示を模した「お茶」という商品表示５を施してなる。また、前記表示片２と前記各係止片３，４との境には、折り用ミシン目６，７を設けている。
【００１３】
一対の係止片３，４は、後述する半割状商品見本に装着時にその開放された背面側に対応するもので、商品見本が模した商品の内容物であるお茶とほぼ同一の色彩を有するとともに、一方の係止片３の縦方向の長さは、半割状商品見本の高さとほぼ同一長である。他方の係止片４の縦方向の長さは、表示片２とともに、前記半割状商品見本の高さより短く形成され、表示片２とは反対側端には係止突起８を設けている。また、前記係止片３には前記係止突起８が係脱可能に突入するスリット９を設けるとともに、半割状商品見本の開放された背面側の形状にほぼ対応する形状となる一方、前記スリット９に沿って表示片２とほぼ同一長にわたる長方形状の切り欠き１０を設けている。
【００１４】
なお、係止片３のスリット９の長さは、係止片４の係止突起８の基端部の長さより若干長く形成されており、前記係止突起８を前記スリット９に挿入すると、前記係止突起８の上下端が係止されることにより、前記係止片４を直線的に引っ張っても前記係止片３から離脱しないものである。
【００１５】
ここで、半割状商品見本について説明する。図２及び図３に示すように、半割状商品見本１１は、ボトル状の中空成形商品容器を前後に半割状にした形状で蓋部１２を除き光透過性を有する合成樹脂製である。一方、前記蓋部１２は白色に彩色されて、光透過性を有しない。なお、上述した係止片３の縦方向の長さは、この半割状商品見本１１の光透過性部分にほぼ対応し、前記蓋部１２の下端部分にまで達するものである。
【００１６】
続いて、以上のように構成した見本表示ラベル１を半割状商品見本１１に装着する動作を説明する。まず、前記見本表示ラベル１を各折り用ミシン目６，７で裏面側に折って、一方の係止片４の係止突起８を他方の係止片３のスリット９に挿入し、筒状にする。この時、前記係止片３には切り欠き１０があるので、前記係止突起８を前記スリットに９に挿入する動作は容易になされる。次に、この筒状にした見本表示ラベル１を、表示片２が正面側に、各係止片３，４が開放された背面側に、それぞれ対応するようにして、半割状商品見本１１の上方から嵌合すれば、図２に示す装着状態となる。
【００１７】
このように、装着動作は、筒状にした見本表示ラベル１を、半割状商品見本１１の上方から嵌合するだけなので、自動販売機の構造によっては、前記半割状商品見本１１が自動販売機に配置されている状態のままで行うこともできる。また、半割状商品見本１１に装着されている見本表示ラベル１を交換する動作も同様にして行うことができる。そして、装着状態においては、係止片３の上端が蓋部１２の下端部分にほぼ対応位置するので、透視可能な前記半割状商品見本１１を透して、各係止片３，４の色彩を視認可能となり、本物の商品が設置されているのと同様の視覚的効果を奏する。
【００１８】
なお、本発明は上述の実施形態に限定されるものではなく、例えば、表示片２の一側にのみ係止片３または４を設け、これら表示片２と係止片３または４には、相対的にスリット９と係止突起８のような係脱するための機構を設けてもよい。また、係止片３，４のいずれか一方を、縦方向は表示片２と同一長で、横方向がスリット９を形成可能な程度に短い細帯状に形成してもよい。さらに、係止片４には色彩を付さず、係止片３のみに彩色を施してもよいし、この係止片３にも彩色を施さなくても良い。この係止片３に彩色を施さない場合には、その長さは係止片４及び表示片２と同一長であってもよい。さらにまた、表示片２と各係止片３，４との境の折り用ミシン目６，７は必ずしも設けなくてもよい。またさらに、適用対象となる半割状商品見本１１の形状は、半割状であれば、ボトル状のほか、缶状やカップ状の各種飲料容器にならった形状でもよいものである。
【図面の簡単な説明】
【００１９】
【図１】見本表示ラベルの正面図。
【図２】半割状商品見本に見本表示ラベルを装着した状態を示す背面図。
【図３】半割状商品見本に見本表示ラベルを装着した状態を示す斜視図。
【符号の説明】
【００２０】
１      見本表示ラベル
２      表示片
３，４      係止片
５      商品表示
６，７      折り用ミシン目
８      係止突起
９      スリット
１０      切り欠き
１１      半割状商品見本
１２      蓋部
【図１】
2005251052.tif 000003
【図２】
2005251052.tif 000004
【図３】
2005251052.tif 000005